(57)【特許請求の範囲】
【請求項１】
画像を投写して表示する投写型表示装置であって、
表示する画像を画像データとして記憶するフレームメモリと、
前記フレームメモリに記憶された前記画像データに基づいて画像表示信号を生成する画像表示信号生成部と、
前記画像表示信号に応じて画像を形成する光を射出する電気光学装置と、
前記電気光学装置が射出した光を投影する投写光学系と、を備え、
前記投写型表示装置は、さらに、
外部から入力された画像の中から任意に選択した抽出対象画像の少なくとも一部を抽出画像として抽出する画像抽出部と、
前記抽出画像を表す抽出画像データを記憶する抽出画像メモリと、
前記投写型表示装置における特定の動作条件を判定する動作条件判定部と、
前記動作条件判定部によって前記特定の動作条件であることが検出された場合に、前記抽出画像メモリに記憶した前記抽出画像データを含む特定画像データの表す特定画像を表示画面に表示する特定画像表示制御部と、
を備え、
前記画像抽出部は、
前記抽出画像を抽出するための抽出条件として少なくとも抽出領域および表示倍率を設定する抽出画像設定画面を表示させ、
前記抽出領域を設定するための抽出領域指定画像を前記抽出対象画像に重ねて表示させ、
前記抽出領域指定画像を用いて抽出しようとする部分を前記抽出領域として設定すると、設定された抽出領域に対応する選択抽出画像を表す選択抽出画像データを前記フレームメモリに書き込み、
表示倍率を設定すると、設定した表示倍率で前記選択抽出画像データを拡大または縮小処理するとともに、拡大または縮小された前記選択抽出画像データを前記フレームメモリに書き込み、
所望の前記表示倍率を決定すると、前記所望の表示倍率で拡大または縮小処理された選択抽出画像データを前記抽出画像メモリに記憶することを特徴とする投写型表示装置。
【請求項２】
請求項１記載の投写型表示装置であって、
前記画像抽出部は、前記抽出画像を抽出するための所定の抽出枠を表示し、
前記所定の抽出枠は、第１の黒線枠と前記第１の黒線枠の内側に設けられた第２の黒線枠とを含み、前記第１の黒線枠と前記第２の黒線枠との間の領域は白色画像である、投写型表示装置。
【請求項３】
請求項１または２記載の投写型表示装置であって、
前記抽出画像メモリは、複数種類の抽出画像を表す複数種類の抽出画像データを記憶し、
前記特定画像表示制御部は、前記特定の動作条件であることが検出された場合に、前記複数の抽出画像の中から選択された少なくとも１つの抽出画像を含む特定画像を前記表示画面に表示する、投写型表示装置。
【請求項４】
請求項３記載の投写型表示装置であって、
前記特定画像表示制御部は、前記複数の抽出画像のうち少なくとも２つの抽出画像を選択して順に表示する、投写型表示装置。
【請求項５】
請求項１ないし４のいずれかに記載の投写型表示装置であって、
前記動作条件判定部は、前記投写型表示装置に入力される画像信号が無入力状態であること、および、前記投写型表示装置が起動後の所定の期間内の状態であることの少なくとも一方を前記特定の動作条件として検出する、投写型表示装置。
【請求項６】
画像を表示する画像表示装置であって、
表示する画像を画像データとして記憶するフレームメモリと、
前記フレームメモリに記憶した前記画像データに基づいて画像表示信号を生成する画像表示信号生成部と、
前記画像表示信号に応じて画像を形成する光を射出する電気光学装置と、
を備え、
前記画像表示装置は、さらに、
外部から入力された画像の中から任意に選択した抽出対象画像の少なくとも一部を抽出画像として抽出する画像抽出部と、
前記抽出画像を表す抽出画像データを記憶する抽出画像メモリと、
前記画像表示装置における特定の動作条件を判別する動作条件判定部と、
前記動作条件判定部によって前記特定の動作条件であることが検出された場合に、前記抽出画像メモリに記憶した前記抽出画像データを含む特定画像データの表す特定画像を表示画面に表示する特定画像表示制御部と、
を備え、
前記画像抽出部は、
前記抽出画像を抽出するための抽出条件として少なくとも抽出領域および表示倍率を設定する抽出画像設定画面を表示させ、
前記抽出領域を設定するための抽出領域指定画像を前記抽出対象画像に重ねて表示させ、
前記抽出領域指定画像を用いて抽出しようとする部分を前記抽出領域として設定すると、設定された抽出領域に対応する選択抽出画像を表す選択抽出画像データを前記フレームメモリに書き込み、
表示倍率を設定すると、設定した表示倍率で前記選択抽出画像データを拡大または縮小処理するとともに、拡大または縮小された前記選択抽出画像データを前記フレームメモリに書き込み、
所望の前記表示倍率を決定すると、前記所望の表示倍率で拡大または縮小処理された選択抽出画像データを前記抽出画像メモリに記憶することを特徴とする画像表示装置。
【請求項７】
投写型表示装置を用いて画像を表示する方法であって、
入力される抽出対象画像の少なくとも一部を抽出画像として抽出する工程と、
前記抽出画像を表す抽出画像データを準備する工程と、
前記投写型表示装置における特定の動作条件を判定する工程と、
前記判定工程において前記特定の動作条件であることが検出された場合に、前記抽出画像データを含む特定画像データの表す特定画像を表示画面に表示する工程と、
を備え、
前記抽出工程は、
前記抽出画像を抽出するための抽出条件として少なくとも抽出領域および表示倍率を設定する抽出画像設定画面を表示させ、
前記抽出領域を設定するための抽出領域指定画像を前記抽出対象画像に重ねて表示させ、
前記抽出領域指定画像を用いて抽出しようとする部分を前記抽出領域として設定すると、設定された抽出領域に対応する選択抽出画像を表す選択抽出画像データを表示させ、
表示倍率を設定すると、設定した表示倍率で前記選択抽出画像データを拡大または縮小処理するとともに、拡大または縮小された前記選択抽出画像データを表示させ、
所望の前記表示倍率を決定すると、前記所望の表示倍率で拡大または縮小処理された選択抽出画像データを記憶する工程を含むことを特徴とする表示方法。
【発明の詳細な説明】
【０００１】
【技術分野】
本発明は、画像表示装置、特に、画像を投写して表示する投写型表示装置の技術に関するものである。
【０００２】
【背景技術】
投写型表示装置は、入力された画像を投写スクリーン上に拡大して表示できることから、プレゼンテーションに用いられることが多い。
【０００３】
プレゼンテーションにおいては投写された画像に基づいて説明が行われ、通常、複数ページのプレゼンテーション画像が用いられる。各ページのプレゼンテーション画像は異なる内容を示しているが、いくつかのプレゼンテーション画像が互いに関連している場合も多い。このような場合に、従来は、関連する複数ページのプレゼンテーション画像を切り換えつつ表示していたが、複数ページ分のプレゼンテーション画像を関連する部分だけでも同時に表示したいという要望があった。
【０００４】
また、プレゼンテーションにおける質疑応答時や、新たな投写画像が表示されるまでに多少の時間を要する時などにおいて、プレゼンテーションに用いられる画像に代えて予め用意されている会社のロゴマークや製品画像など（以下、「特定画像」と呼ぶ場合もある。）を表示して会社や製品をアピールするということが行われている。従来では、このような特定画像は、投写型表示装置に接続された画像供給装置（コンピュータ、ビデオプレーヤ、テレビジョン受信機など）を介して投写型表示装置に供給されていた。すなわち、投写型表示装置にその特定画像を表示するためには、投写型表示装置に接続される画像供給装置にその特定画像の画像データを予め格納しておかなければならないという問題があった。
【０００５】
ところで、投写型表示装置に画像が入力されていない場合には、スクリーン上には何も表示されないことになる。このような場合において、従来の投写型表示装置においては、通常ブランク画像と呼ばれる１色の画面が表示される。このような場合においても、上記のような特定画像を表示させたいという希望があった。しかし、この場合には、画像供給装置から正常な画像が入力されていないので、特定画像を表示することもできなかった。なお、上記問題は、投写型表示装置に限らず、外部から供給される画像を表示する画像表示装置に共通する問題である。
【０００６】
【発明の開示】
この発明は、従来技術における上述の課題を解決するためになされたものであり、複数ページ分の画像の関連する部分を同時に表示することのできる技術を提供することを第１の目的とする。また、外部から特定画像が供給されない場合にも、所望の特定画像を表示することのできる技術を提供することを第２の目的とする。
【０００７】
上述の課題の少なくとも一部を解決するため、本発明の第１の態様による投写型表示装置は、入力された第１の画像データの少なくとも一部を抽出画像として抽出する画像抽出部と、前記抽出画像を表す抽出画像データを記憶する抽出画像メモリと、入力された第２の画像データで表される原画像と前記抽出画像とを重畳することによって、前記原画像と前記抽出画像とが重畳された重畳画像データを生成する画像重畳部と、前記重畳画像データに応じて画素毎に駆動される光変調手段と、前記光変調手段の駆動により得られる前記重畳画像を前記スクリーン上に投写する光学系と、を備えることを特徴とする。
【０００８】
この投写型表示装置においては、その内部に入力された画像の少なくとも一部を切り抜いて抽出画像を抽出する画像抽出部と、抽出画像を原画像に重畳するための画像重畳部を備えているため、複数ページ分の画像の関連する部分を同時に表示することが可能となる。
【０００９】
上記投写型表示装置において、前記画像抽出部が前記第１の画像データから抽出する部分は、任意に設定可能であることが好ましい。
【００１０】
こうすれば、入力された画像データのうち任意の部分を抽出画像とすることができるので、目的に応じた抽出画像データを容易に作成することができる。
【００１１】
上記投写型表示装置において、前記画像重畳部は、前記抽出画像を前記原画像の所望の位置に配置して重畳することが好ましい。
【００１２】
こうすれば、画像重畳部により原画像の任意の位置に抽出画像を重畳させることができるので、抽出画像を重畳させる自由度が大きくなる。
【００１３】
また、上記投写型表示装置において、前記抽出画像メモリは、複数種類の抽出画像を表す複数種類の抽出画像データを記憶しており、前記画像重畳部は、選択された少なくとも１つの抽出画像を、前記原画像のそれぞれ指定された位置に重畳することが好ましい。
【００１４】
こうすれば、複数種類の抽出画像の中から任意の抽出画像を選択することができるので、所望の抽出画像を原画像に重畳させることが可能となる。
【００１５】
上記投写型表示装置において、前記画像重畳部は、入力された前記第２の画像データと、前記抽出画像メモリから読み出された前記抽出画像データとを合成することによって、前記重畳画像データを生成する合成部と、前記光変調手段の全画素に対応する領域を少なくとも包含するメモリ領域を有し、前記重畳画像データを記憶するフレームメモリと、を備え、前記フレームメモリから読み出された前記重畳画像データが前記光変調手段に与えられることが好ましい。
【００１６】
この投写型表示装置においては、入力された原画像に抽出画像を重畳した重畳画像データが、フレームメモリに書き込まれるため、フレームメモリから重畳画像データを読み出せば重畳画像を得ることができる。
【００１７】
また、上記投写型表示装置において、前記画像重畳部は、前記光変調手段の全画素に対応する領域を少なくとも包含するメモリ領域を有し、入力された前記第２の画像データを記憶するフレームメモリと、前記フレームメモリから読み出された前記第２の画像データと、前記抽出画像メモリから読み出された前記抽出画像データとを合成することによって前記重畳画像データを生成する合成部と、を備え、前記合成部で合成された前記重畳画像データが前記光変調手段に与えられることにしてもよい。
【００１８】
この投写型表示装置においても、重畳画像データを得ることができ、上記の投写型表示装置と同様の作用・効果を有する。ただし、重畳画像データをフレームメモリから読み出して表示する上記の投写型表示装置に対し、本投写型表示装置においては、フレームメモリに書き込まれた画像データを読み出しながら抽出画像を重畳するので、抽出画像を重畳させるための指令から重畳画像の表示までの時間をより短くすることができる。
【００１９】
また、上記投写型表示装置において、前記合成部は、前記第２の画像データと前記抽出画像データとのどちらか一方を画素毎に選択することによって前記重畳画像データを作成するためのデータセレクタを備えることが好ましい。
【００２０】
この投写型表示装置においては、データセレクタが画像データと抽出画像データとのどちらか一方を選択するので、画像データの一部を抽出画像データに置換することにより原画像に抽出画像を重畳することができる。
【００２１】
また、上記投写型表示装置において、前記合成部は、前記第２の画像データと前記抽出画像データとにそれぞれの係数を画素毎に乗算するための乗算部と、  前記乗算部において乗算された前記第２の画像データと前記抽出画像データとを画素毎に加算するための加算部と、を備えるようにしてもよい。
【００２２】
この投写型表示装置においても、係数を適当に設定することにより、装飾効果画像と原画像の濃度（輝度）の比を調整することができる。
【００２３】
上記投写型表示装置において、前記合成部は、前記乗算部における前記係数を制御することにより、前記第２の画像データと前記抽出画像データとの合成比率を変えて前記原画像に重畳させた前記抽出画像の透明度を調整する係数設定部を備えることが好ましい。
【００２４】
こうすれば、乗算部の係数を制御することにより、画像データと抽出画像データとの合成比率を変えることができるので、抽出画像を重畳した部分を透過した重畳画像を得ることができる。
【００２５】
また、上記投写型表示装置において、前記係数設定部は、前記乗算部における前記係数を時間とともに変化させることにより、前記第２の画像データと前記抽出画像データとの合成比率を変えて前記原画像に重畳させた抽出画像の透明度を時間とともに変化させることが好ましい。
【００２６】
こうすれば、乗算部の係数を時間とともに変化させることにより、抽出画像を重畳した部分の透明度を時間とともに変化させることができる。
【００２７】
本発明の第２の態様による投写型表示装置は、表示する画像を画像データとして記憶するフレームメモリと、前記フレームメモリに記憶された前記画像データに基づいて画像表示信号を生成する画像表示信号生成部と、前記画像表示信号に応じて画像を形成する光を射出する電気光学装置と、前記電気光学装置が射出した光を投影する投写光学系と、を備え、さらに、外部から入力された画像の中から任意に選択した抽出対象画像の少なくとも一部を抽出画像として抽出する画像抽出部と、前記抽出画像を表す抽出画像データを記憶する抽出画像メモリと、特定の表示条件において、前記抽出画像メモリに記憶した前記抽出画像データを含む特定画像データの表す特定画像を表示画面に表示する特定画像表示制御部と、を備えることを特徴とする。
【００２８】
上記投写型表示装置によれば、任意に選択した抽出対象画像の少なくとも一部を抽出画像として抽出することができる。これにより、特定の表示条件において、投写型表示装置に入力される画像に代えて、任意に抽出された抽出画像を含む特定画像を表示することができ、外部から特定画像が供給されない場合にも、所望の特定画像を表示することができる。
【００２９】
上記投写型表示装置において、前記画像抽出部は、前記抽出画像を抽出するための抽出条件として少なくとも抽出領域および表示倍率を設定する抽出画像設定画面を表示させ、前記抽出領域を設定するための抽出領域指定画像を前記抽出対象画像に重ねて表示させ、前記抽出領域指定画像を用いて抽出しようとする部分を前記抽出領域として設定すると、設定された抽出領域に対応する選択抽出画像を表す選択抽出画像データを前記フレームメモリに書き込み、表示倍率を設定すると、設定した表示倍率で前記選択抽出画像データを拡大または縮小処理するとともに、拡大または縮小された前記選択抽出画像データを前記フレームメモリに書き込み、所望の前記表示倍率を決定すると、前記所望の表示倍率で拡大または縮小処理された選択抽出画像データを前記抽出画像メモリに記憶することが好ましい。
【００３０】
上記構成によれば、抽出対象画像の抽出領域を抽出領域指定画像によって容易に設定することができる。また、所望の表示倍率を決定する前に、設定された抽出領域に対応する選択抽出画像を選択した表示倍率で表示させることができるので、所望の表示倍率を確認しながら決定することができる。
【００３１】
ここで、前記画像抽出部は、前記抽出領域指定画像として所定の抽出枠を表示し、前記所定の抽出枠は、第１の黒線枠と前記第１の黒線枠の内側に設けられた第２の黒線枠とを含み、前記第１の黒線枠と前記第２の黒線枠との間の領域は白色画像であることが好ましい。
【００３２】
上記のようにすれば、任意の抽出対象画像に対して抽出領域を判別することができるので、抽出領域を容易に設定することができる。また、どのような色や配色の抽出対象画像であっても、その中に抽出枠が埋没しまうことなく、黒線枠または白色画像の枠を表示することができる。
【００３３】
上記投写型表示装置において、前記抽出画像メモリは、複数種類の抽出画像を表す複数種類の抽出画像データを記憶し、前記特定画像表示制御部は、前記特定の表示条件において、前記複数種類の抽出画像の中から選択された少なくとも１つの抽出画像を含む特定画像を前記表示画面に表示するようにしてもよい。
【００３４】
また、前記特定画像表示制御部は、前記複数の抽出画像のうち少なくとも２つの抽出画像を選択して順に表示するようにしてもよい。
【００３５】
上記のようにすれば、予め用意された複数種類の抽出画像の中から任意の画像を選択して、より効果的な特定画像の表示を行うことができる。
【００３６】
上記各投写型表示装置において、さらに、前記投写型表示装置における特定の動作条件を判定する動作条件判定部を備え、前記特定画像表示制御部は、前記動作条件判定部において前記特定の動作条件であることが検出された場合に、前記特定画像を前記表示画面に表示することが好ましい。
【００３７】
上記構成によれば、投写型表示装置が特定の動作条件にあるような場合を自動的に判別して、画像抽出部によって抽出された抽出画像を含む特定画像を表示画面に表示することができる。
【００３８】
ここで、前記動作条件判定部は、前記投写型表示装置に入力される画像信号が無入力状態であること、および、前記投写型表示装置が起動後の所定の期間内の状態であることの少なくとも一方を前記特定の動作条件として検出することが好ましい。
【００３９】
このようにすれば、特定の動作条件として投写型表示装置に入力される画像データが無入力状態である場合や、投写型表示装置が起動後の所定の期間内の状態であるために、通常の投写表示ができないような場合に、画像抽出部によって抽出された抽出画像を含む特定画像を自動的に表示することができる。
【００４０】
本発明の第３の態様による投写型表示装置は、表示する画像を画像データとして記憶するフレームメモリと、前記フレームメモリに記憶された前記画像データに基づいて画像表示信号を生成する画像表示信号生成部と、前記画像表示信号に応じて画像を形成する光を射出する電気光学装置と、前記電気光学装置が射出した光を投影する投写光学系と、を備え、さらに、前記投写型表示装置における特定の動作条件を判定する動作条件判定部と、前記動作条件判定部において、前記特定の動作条件であることが検出された場合に、特定画像データの表す特定画像を表示画面に表示する特定画像表示制御部と、を備えることを特徴とする。
【００４１】
上記構成によれば、投写型表示装置が特定の動作条件にあるような場合を自動的に判別して、特定画像を表示画面に表示することができる。
【００４２】
ここで、前記動作条件判定部は、前記投写型表示装置に入力される画像信号が無入力状態であること、および、前記投写型表示装置が起動後の所定の期間内の状態であることの少なくとも一方を前記特定の動作条件として検出することが好ましい。
【００４３】
このようにすれば、投写型表示装置に入力される画像信号が無入力状態である場合や、投写型表示装置が起動後の所定の期間内の状態であるために、通常の投写表示ができないような場合に、画像抽出部によって抽出された抽出画像を含む特定画像を自動的に表示することができる。
【００４４】
本発明の第４の態様による画像表示装置は、表示する画像を画像データとして記憶するフレームメモリと、前記フレームメモリに記憶した前記画像データに基づいて画像表示信号を生成する画像表示信号生成部と、前記画像表示信号に応じて画像を形成する光を射出する電気光学装置と、を備え、外部から入力された表示される画像の中から任意に選択した抽出対象画像の少なくとも一部を抽出画像として抽出する画像抽出部と、前記抽出画像を表す抽出画像データを記憶する抽出画像メモリと、特定の表示条件において、前記抽出画像メモリに記憶した前記抽出画像データを含む特定画像データの表す特定画像を表示画面に表示する特定画像表示制御部と、を備えることを特徴とする。
【００４５】
この画像表示装置においては、上記第２の態様による投写型表示装置と同様の作用・効果を有しており、ユーザが選択した特定の表示条件において、画像表示装置に入力される画像に代えて、任意に抽出された抽出画像を含む特定画像を表示することができる。
【００４６】
本発明の第５の態様による画像表示装置は、表示する画像を画像データとして記憶するフレームメモリと、前記フレームメモリに記憶した前記画像データに基づいて画像表示信号を生成する画像表示信号生成部と、前記画像表示信号に応じて画像を形成する光を射出する電気光学装置と、を備え、さらに、前記投写型表示装置における特定の動作条件を判別する動作条件判定部と、前記動作条件判定部において、前記特定の動作条件であることが検出された場合に、特定画像データの表す特定画像を表示画面に表示する特定画像表示制御部と、を備えることを特徴とする。
【００４７】
この画像表示装置においては、上記第３の態様による投写型表示装置と同様の作用・効果を有しており、画像表示装置が特定の動作条件にあるような場合を自動的に判別して、特定画像を表示画面に表示することができる。
【００４８】
本発明の第６の態様による画像の表示方法は、光変調手段を備えた投写型表示装置を用い、前記投写型表示装置に入力された画像データに応じてスクリーン上に画像を投写して表示する方法であって、入力された第１の画像データの少なくとも一部を抽出画像として抽出する工程と、前記抽出画像を表す抽出画像データを準備する工程と、入力された第２の画像データで表される原画像と前記抽出画像とを重畳することによって、前記原画像と前記抽出画像とが重畳された重畳画像データを生成する工程と、前記重畳画像データに応じて画素毎に前記光変調手段を駆動する工程と、前記光変調手段の駆動により得られる前記重畳画像を前記スクリーン上に投写する工程と、を備えることを特徴とする。
【００４９】
この表示方法においては、上記第１の態様による投写型表示装置と同様の作用・効果を有しており、複数ページ分の画像の関連する部分を同時に表示することができる。
【００５０】
本発明の第７の態様による画像の表示方法は、投写型表示装置を用いて、特定画像を表示画面に表示する方法であって、入力される抽出対象画像の少なくとも一部を抽出画像として抽出する工程と、前記抽出画像を表す抽出画像データを準備する工程と、特定の表示条件において、前記抽出画像データを含む画像データの表す画像を前記特定画像として表示画面に表示する工程と、を備えることを特徴とする。
【００５１】
この表示方法においては、上記第２の態様による投写型表示装置と同様の作用・効果を有しており、外部から特定画像が供給されない場合にも、所望の特定画像を表示することができる。
【００５２】
本発明の第８の態様による画像の表示方法は、投写型表示装置を用いて、特定画像を表示画面に表示する方法であって、前記投写型表示装置における特定の動作条件を判定する工程と、前記工程において特定の動作条件であることが検出された場合に、特定画像データをフレームメモリに書き込むことによって、前記特定画像データの表す特定画像を表示画面に表示する工程と、を備えることを特徴とする。
【００５３】
この表示方法においては、上記第３の態様による投写型表示装置と同様の作用・効果を有しており、投写型表示装置が特定の動作条件にあるような場合を自動的に判別して、特定画像を表示画面に表示することができる。
【００５４】
本発明は、コンピュータに上記の発明の各工程または各部の少なくとも一部の機能を実行させるコンピュータプログラムを記録した記録媒体にも向けられている。記録媒体としては、フレキシブルディスクやＣＤ−ＲＯＭ、光磁気ディスク、パンチカード、バーコードなどの符号が印刷された印刷物、コンピュータの内部記憶装置（ＲＡＭやＲＯＭなどのメモリ）および外部記憶装置等の、コンピュータが読取り可能な種々の媒体を利用できる。
【００５５】
【発明を実施するための最良の形態】
Ａ．第１実施例
次に、本発明の実施の形態を実施例に基づき説明する。図１は、本発明の第１の態様による第１実施例としての投写型表示装置の全体構成を示すブロック図である。本実施例における投写型表示装置は、映像信号変換回路１０と、抽出画像重畳回路１２と、液晶ディスプレイ駆動回路１４と、液晶ディスプレイパネル１６と、フレームメモリ２２と、抽出画像メモリ２４と、抽出画像ビットマップメモリ２６と、リモコン制御部２８と、ＣＰＵ２０と、照明光学系１００と、投写光学系１０２と、を備えている。映像信号変換回路１０と、抽出画像重畳回路１２と、抽出画像メモリ２４と、リモコン制御部２８と、ＣＰＵ２０は、バス１によって互いに接続されている。また、液晶ディスプレイ駆動回路１４もバス１に接続されているが、図１ではその接続を省略している。液晶ディスプレイパネル１６は、照明光学系１００でほぼ均一に照明されており、液晶ディスプレイパネル１６に表示された画像は、投写光学系１０２によって投写スクリーン１０４上に投写される。なお、図１においては、光学系１００，１０２は、簡略化されている。
【００５６】
映像信号変換回路１０は、入力されたアナログ画像信号ＡＶ１をＡＤ変換して、ＡＤ変換された画像データをフレームメモリ２２に書き込んだり、画像データをフレームメモリ２２から読み出したりするための回路である。なお、アナログ画像信号ＡＶ１としては、例えば、パーソナルコンピュータから出力されたコンピュータ画面を表すＲＧＢ信号Ｓ１や、ビデオレコーダやテレビから出力された動画を表すコンポジット画像信号Ｓ２などの画像信号が供給される。
【００５７】
図２は、映像信号変換回路１０の内部構成を示すブロック図である。映像信号変換回路１０は、同期分離部３０と、ＡＤ変換部３２と、ビデオプロセッサ３４とを備えている。
【００５８】
同期分離部２３０は、入力されるアナログ画像信号ＡＶ１がコンポジット画像信号Ｓ２である場合には、コンポジット画像信号Ｓ２を同期信号ＷＳＹＮＣとコンポーネント画像信号Ｓ３（同期信号を含まないアナログ画像信号）とに分離して出力する。このコンポーネント画像信号Ｓ３は、ＲＧＢの３色の画像を表す３つの色信号で構成されている。なお、入力されるアナログ画像信号ＡＶ１がＲＧＢ信号Ｓ１である場合には、別途その同期信号が入力されるため、同期分離部２３０を用いる必要はない。
【００５９】
ＡＤ変換部２３２は、ＲＧＢ信号Ｓ１、あるいは同期分離部２３０から出力されたコンポーネント画像信号（ＲＧＢ信号）Ｓ３を、ＡＤ変換部２３２内の図示しない複数のＡＤ変換器によって、色信号毎に画像データＤＶ１に変換するための回路である。なお、複数のＡＤ変換器におけるＡＤ変換のタイミングは、同期信号ＷＳＹＮＣに基づいてビデオプロセッサ２３４内部で生成されるドットクロックＤＣＬＫにより制御される。
【００６０】
ビデオプロセッサ３４は、フレームメモリ２２への画像データの書き込み制御や読み出し制御を行うためのマイクロプロセッサである。ＡＤ変換部３２から出力された画像データＤＶ１は、一旦フレームメモリ２２に書き込まれ、必要に応じてフレームメモリ２２から読み出される。
【００６１】
図３は、ビデオプロセッサ３４の内部構成の一例を示すブロック図である。ビデオプロセッサ３４は、書込制御部７０と、読出制御部７２と、画像抽出部７４とを備えている。
【００６２】
書込制御部７０および読出制御部７２は、画像データをフレームメモリ２２へ書き込む際の、あるいは読み出す際の、アドレスＡＤＤ１，ＡＤＤ２や制御信号ＣＴＲ１，ＣＴＲ２を生成して、フレームメモリ２２に供給する機能を有する。画像データは、書込制御部７０で生成されるアドレスＡＤＤ１や制御信号ＣＴＲ１に従ってフレームメモリ２２に書き込まれる。また、フレームメモリ２２に書き込まれた画像データは、読出制御部７２で生成されるアドレスＡＤＤ２や制御信号ＣＴＲ２に従って読み出される。これらのアドレスや制御信号は、同期信号（ＷＳＹＮＣあるいはＲＳＹＮＣ）に基づいて生成される。
【００６３】
なお、フレームメモリ２２への画像データの書き込みは、同期信号ＷＳＹＮＣに同期して行われる。また、フレームメモリ２２からの画像データの読み出しや、ビデオプロセッサ３４から出力される画像データＤＶ２の後段の回路における処理は、後述する液晶ディスプレイ駆動回路１４（図１）から出力される同期信号ＲＳＹＮＣに同期して行われる。なお、第１の同期信号ＷＳＹＮＣと第２の同期信号ＲＳＹＮＣとは互いに非同期である。もちろん、第１の同期信号ＷＳＹＮＣと、第２の同期信号ＲＳＹＮＣとして、互いに同期する信号を使用することも可能である。
【００６４】
画像抽出部７４（図３）は、フレームメモリ２２に書き込まれた画像データが読み出される際に、画像データ中の指定された部分のデータを抽出する機能を有する。また、画像抽出部７４は、抽出した抽出画像データを圧縮し、バス１を介して、抽出画像メモリ２４に書き込む機能を有する。なお、画像抽出部７４は、抽出画像データを圧縮しなくてもよい。また、圧縮する替わりに抽出画像データを縮小させてもよい。なお、画像データ中の切り抜き部分の指定は、後述するリモコン２９で行うことができる。リモコン２９で画像データ中の切り抜き部分を指定することにより、ＣＰＵ２０が、その切り抜き部分に対応する抽出アドレスＳＡＤＤを出力し、画像抽出部７４は抽出アドレスＳＡＤＤと、読出制御部７２から出力されるアドレスＡＤＤ２とに基づいて切り抜き部分の画素データを抽出する。これにより、指定された部分についての画素データのみを抽出することができる。
【００６５】
図１に示す抽出画像メモリ２４は、ビデオプロセッサ３４内の画像抽出部７４（図３）により抽出された抽出画像データを格納するためのメモリである。本実施例においては、抽出画像データは、圧縮されて、抽出画像圧縮データＣＰＤとして抽出画像メモリ２４に格納されている。また、抽出画像圧縮データＣＰＤを展開した抽出画像ビットマップデータＢＭＤ１は、抽出画像ビットマップメモリ２６に格納される。なお、抽出された抽出画像データを圧縮せずにそのまま抽出画像ビットマップメモリ２６に格納するようにしてもよい。このとき抽出画像メモリ２４は不要である。
【００６６】
図４は、本実施例におけるフレームメモリ２２、抽出画像メモリ２４、抽出画像ビットマップメモリ２６を示す説明図である。図４（ａ），（ｄ）は、フレームメモリ２２内部のメモリ空間を示している。図４（ｂ）は、抽出画像メモリ２４内部のメモリ空間を示している。図４（ｃ）は、抽出画像ビットマップメモリ２６内部のメモリ空間を示している。
【００６７】
図４（ａ）に示すフレームメモリ２２内には、入力された１フレーム分の画像データ（花の図形）がビットマップ形式で記憶されている。図４（ａ）の破線で囲まれた部分は、ユーザによって切り抜き部分として指定されており、画像抽出部７４（図３）によって抽出される。抽出された抽出画像データは、画像抽出部７４により圧縮されて、抽出画像圧縮データＣＰＤとして抽出画像メモリ２４に格納される。
【００６８】
図４（ｂ）に示す抽出画像メモリ２４内には、複数種類の抽出画像圧縮データＣＰＤが格納されており、また、抽出画像圧縮データＣＰＤをビットマップ形式で展開するためのプログラムが格納されている。なお、図４（ｂ）においては、プログラムは抽出画像メモリ２４のメモリ空間のアドレス「００００」以降に格納されており、圧縮データＡ，Ｂ，Ｃは、それぞれアドレス「０Ａ００」，「０Ｂ００」，「０Ｃ００」以降に格納されている。
【００６９】
図４（ｃ）に示す抽出画像ビットマップメモリ２６には、抽出画像メモリ２４内のプログラムによってビットマップ形式に展開された抽出画像ビットマップデータＢＭＤ１と、入力画像データへの抽出画像の重畳位置および重畳範囲を示す座標データＰＤとが格納されている。図４（ｃ）に示す抽出画像ビットマップデータＢＭＤ１は、抽出画像ビットマップメモリ２６のメモリ空間のアドレス「００００」以降に展開されている。また、座標データＰＤは、アドレス「ＡＡＡＡ」以降に格納されており、２点の座標（ｘ1，ｙ1），（ｘ2，ｙ2）を含んでいる。第１の座標（ｘ1，ｙ1）は、画像データ中の抽出画像の重畳位置を示しており、２つの座標（ｘ1，ｙ1），（ｘ2，ｙ2）で、抽出画像の重畳範囲（大きさ）を示している。
【００７０】
また、図４（ｄ）に示すフレームメモリ２２内には、図４（ｃ）に示す抽出画像を重畳するための画像データ（木の図形）がビットマップ形式で記憶されている。図４（ｄ）に示されている座標（ｘ1，ｙ1），（ｘ2，ｙ2）は、フレームメモリ２２内のアドレス「００００」を座標（０，０）としたときの値である。この座標（ｘ1，ｙ1），（ｘ2，ｙ2）が、図４（ｃ）に示す座標データＰＤに対応する。図４（ｃ）に示す抽出画像ビットマップデータＢＭＤ１の左上点ａが座標（ｘ1，ｙ1）に対応し、右下点ｂが座標（ｘ2，ｙ2）に対応する。
【００７１】
抽出画像ビットマップデータＢＭＤ１は、予め画像データを切り抜いて準備した複数種類の抽出画像の中から、ユーザが任意の種類を指定することによって展開される。また、座標データＰＤは、ユーザが画像データ中の重畳位置、あるいは重畳位置と重畳範囲とを指定することによって得られる。重畳位置のみを指定する場合には、座標（ｘ1，ｙ1）が決定され、抽出画像の種類によって予め定められている大きさ（切り抜き時の大きさ）により座標データ（ｘ2，ｙ2）が決定される。また、重畳位置と重畳範囲の双方を指定する場合には、重畳位置の指定により座標（ｘ1，ｙ1）が決定され、重畳範囲（大きさ）の指定により座標（ｘ2，ｙ2）は、（ｘ2＋Δｘ，ｙ2＋Δｙ）に置き換えられる。これにより、抽出画像を任意の大きさに拡大・縮小することが可能となる。なお、本実施例においては、抽出画像ビットマップデータＢＭＤ１および座標データＰＤは、抽出画像ビットマップメモリ２６に格納されているが、抽出画像メモリ２４に格納してもよい。
【００７２】
抽出画像重畳回路１２（図１）は、入力された画像と抽出画像とを重畳するための回路である。すなわち、抽出画像重畳回路１２は、映像信号変換回路１０から出力される画像データＤＶ２と、抽出画像ビットマップメモリ２６内に展開された抽出画像ビットマップデータＢＭＤ１（図４（ｃ））とを重畳する。
【００７３】
図５は、抽出画像重畳回路１２の内部構成を示すブロック図である。抽出画像重畳回路１２は、２つの乗算部４０，４２と、１つの加算部４４と、係数設定部４６とを含んでいる。２つの乗算部４０，４２と、１つの加算部４４とからなる構成は、ＲＧＢの各色毎に設けられている。ビデオプロセッサ３４から出力された画像データＤＶ２は第１の乗算部４０に入力され、抽出画像ビットマップメモリ２６に展開された抽出画像ビットマップデータＢＭＤ１は第２の乗算部４２に入力される。
【００７４】
係数設定部４６は、乗算部４０，４２の係数ｋ1，ｋ2を設定する機能を有する。係数ｋ1，ｋ2は、それぞれ「０」から「１」までの値を設定することができ、通常、ｋ1とｋ2との和が「１」となるように設定される。なお、係数ｋ1，ｋ2は、座標データＰＤ（図４（ｃ））に基づいて係数設定部４６により制御される。
【００７５】
乗算部４０，４２は、それぞれに入力される画像データの各画素データを順次、定数倍するための回路である。画像データＤＶ２は、乗算部４０においてｋ1倍の信号に変換される。また、抽出画像ビットマップデータＢＭＤ１は、乗算部４２においてｋ2倍の信号に変換される。乗算部４０，４２において変換され、出力された画像データＤＶ３および抽出画像ビットマップデータＢＭＤ２は、加算部４４に入力される。
【００７６】
加算部４４は、入力される２つの画像信号の画素データを順次、加算するための回路である。加算部４４において、画像データＤＶ３と抽出画像ビットマップデータＢＭＤ２とが加算され、重畳画像データＤＤＶ１が出力される。なお、本実施例における乗算部４０，４２と加算部４４と係数設定部４６とが本発明の第１の態様における合成部に相当する。
【００７７】
抽出画像重畳回路１２から出力された重畳画像データＤＤＶ１は、液晶ディスプレイ駆動回路１４（図１）に供給される。液晶ディスプレイ駆動回路１４は、この重畳画像データＤＤＶ１に応じて、液晶ディスプレイパネル１６に抽出画像が重畳された画像を表示する。液晶ディスプレイパネル１６に表示された画像は、光学系１００，１０２を用いて投写スクリーン１０４上に投写される。すなわち、照明光学形１００により液晶ディスプレイパネル１６に入射した光が、液晶ディスプレイパネル１６に与えられた画像データに従って変調され、液晶ディスプレイパネル１６からの出射光が投写光学系１０２によって投写スクリーン１０４上に投射される。なお、本実施例における液晶ディスプレイパネル１６が第１の発
明の光変調手段に相当する。
【００７８】
リモコン制御部２８（図１）は、リモコン２９からの指令に基づいて、投写型表示装置の各部の機能を制御する。リモコン制御部２８によって制御されるのは、主として抽出画像に関する処理である。例えば、リモコン２９からの、画像データ中の切り抜き部分の指定、重畳する抽出画像の種類の選択、抽出画像の重畳位置、重畳範囲、抽出画像の表示・非表示などの指令に基づいて各部の機能を制御する。
【００７９】
なお、映像信号変換回路１０と、抽出画像重畳回路１２と、リモコン制御部２８の機能はハードウェアではなく、コンピュータプログラムによって実現することもできる。これらの各部の機能を実現するコンピュータプログラムは、フロッピディスクやＣＤ−ＲＯＭ等の、コンピュータ読み取り可能な記録媒体に記録された形態で提供される。コンピュータ（投写型表示装置）は、その記録媒体からコンピュータプログラムを読み取って内部記憶装置または外部記憶装置に転送する。あるいは、通信経路を介してプログラム供給装置からコンピュータにコンピュータプログラムを供給するようにしてもよい。コンピュータの機能を実現する時には、内部記憶装置に格納されたコンピュータプログラムがコンピュータのＣＰＵ（マイクロプロセッサ）によって実行される。また、記録媒体に記録されたコンピュータプログラムをコンピュータが直接実行するようにしてもよい。
【００８０】
この明細書において、コンピュータとは、ハードウェア装置とオペレーションシステムとを含む概念であり、オペレーションシステムの制御の下で動作するハードウェア装置を意味している。また、オペレーションシステムが不要でアプリケーションプログラム単独でハードウェア装置を動作させるような場合には、そのハードウェア装置自体がコンピュータに相当する。ハードウェア装置は、ＣＰＵ等のマイクロプロセッサと、記録媒体に記録されたコンピュータプログラムを読み取るための手段とを少なくとも備えている。コンピュータプログラムは、このようなコンピュータに、上述の各手段の機能を実現させるプログラムコードを含んでいる。なお、上述の機能の一部は、アプリケーションプログラムでなく、オペレーションシステムによって実現されていても良い。
【００８１】
なお、この発明における「記録媒体」としては、フレキシブルディスクやＣＤ−ＲＯＭ、光磁気ディスク、ＩＣカード、ＲＯＭカートリッジ、パンチカード、バーコードなどの符号が印刷された印刷物、コンピュータの内部記憶装置（ＲＡＭやＲＯＭなどのメモリ）および外部記憶装置等の、コンピュータが読取り可能な種々の媒体を利用できる。
【００８２】
図６は、フレームメモリ２２内に記憶されている画像データと、抽出画像ビットマップメモリ２６内に記憶されている抽出画像ビットマップデータＢＭＤ１との重畳処理を示す説明図である。図６（ａ）は、フレームメモリ２２内のメモリ空間を示しており、画像データ（文書）が記憶されている。図６（ｂ）は、抽出画像ビットマップメモリ２６内のメモリ空間を示しており、抽出画像ビットマップデータＢＭＤ１（グラフ）が記憶されている。また、抽出画像ビットマップメモリ２６には、重畳位置および重畳範囲を示す座標データＰＤが記憶されている。図６（ｂ）に示す座標データＰＤの２つの座標（ｘ1，ｙ1），（ｘ2，ｙ2）は、図６（ａ）に示す座標（ｘ1，ｙ1），（ｘ2，ｙ2）に対応している。図６（ｃ）は、画像データと抽出画像ビットマップデータＢＭＤ１とを重畳した重畳画像データＤＤＶ１が表す重畳画像を示している。
【００８３】
画像データと、抽出画像ビットマップデータＢＭＤ１との重畳は、座標データＰＤに基づいて行われる。抽出画像重畳回路１２（図５）内の第１の乗算部４０には、画像データが順次入力されるが、第２の乗算部４２には、重畳する部分、すなわち座標（ｘ1，ｙ1）と（ｘ2，ｙ2）との範囲内においてのみ抽出画像ビットマップデータＢＭＤ１が入力される。抽出画像ビットマップデータＢＭＤ１を乗算部４２へ入力させるタイミングは、座標データＰＤに基づいてＣＰＵ２０により制御される。また、乗算部４２への抽出画像ビットマップデータＢＭＤ１の入力と同時に、乗算部４０，４２の係数ｋ1，ｋ2を変更する。すなわち、乗算部４２に抽出画像ビットマップデータＢＭＤ１が入力されていないときには、乗算部４０，４２の係数ｋ1，ｋ2は（１，０）と設定され、乗算部４２に抽出画像ビットマップデータＢＭＤ１が入力されているときには、係数ｋ1，ｋ2は（０，１）と設定される。これにより、座標データ（ｘ1，ｙ1）と（ｘ2，ｙ2）との範囲以外の画素については、図６（ａ）に示す原画像の画像データ（文書）が抽出画像重畳回路１２から出力され、２つの座標（ｘ1，ｙ1），（ｘ2，ｙ2）の範囲内の画素については、 図６（ｂ）に示す抽出画像ビットマップデータＢＭＤ１が抽出画像重畳回路１２から出力される。このようにして、画像データと抽出画像ビットマップデータＢＭＤ１とが重畳されて、図６（ｃ）の重畳画像を表す重畳画像データＤＤＶ１が生成される。
【００８４】
なお、抽出画像は、画像データ中の重畳位置に対応するように抽出画像ビットマップメモリ２６内に展開されてもよい。図７は、抽出画像ビットマップメモリ２６内に展開されている抽出画像ビットマップデータＢＭＤ１を示す説明図である。図７に示す抽出画像ビットマップメモリ２６では、画像データの１フレーム分に相当するメモリ容量が抽出画像ビットマップデータＢＭＤ１に割り当てられており、抽出画像は座標（ｘ1，ｙ1），（ｘ2，ｙ2）に対応する位置に展開されている。図７に示すように展開されている場合には、画像データと、抽出画像ビットマップデータＢＭＤ１との、画像中の同じ位置に対応する画素データが同時に、それぞれ乗算部４０，４２に入力される。このとき、座標データＰＤの座標（ｘ1，ｙ1）と（ｘ2，ｙ2）との範囲外では、係数（ｋ1，ｋ2）は（１，０）と設定され、座標（ｘ1，ｙ1）と（ｘ2，ｙ2）との範囲内では、係数（ｋ1，ｋ2）は（０，１）と設定される。このようにしても、画像データと抽出画像ビットマップデータＢＭＤ１とを重畳させて、図６（ｃ）の重畳画像を表す重畳画像データＤＤＶ１を生成することができる。
【００８５】
上述のように、抽出画像を図７に示すように展開する場合には、抽出画像ビットマップデータＢＭＤ１の記憶領域として、１フレーム分のメモリ容量が必要となるが、図６（ｂ）に示すように展開する場合には、ビットマップ展開された抽出画像の大きさと同程度のメモリ容量を有すればよいので、メモリ容量が小さくてよいという利点がある。
【００８６】
図８は、パーソナルコンピュータから入力された画像に抽出画像を重畳したときの投写スクリーン１０４上に投写された画像の一例を示す説明図である。図８（ａ）では、入力画像（文書）に、２つの抽出画像（木の画像）が重畳されている。図８（ｂ）では、入力画像（文書）に、２種類の抽出画像（ヨットの画像と木の画像）が重畳されている。図８（ｃ）では、入力画像（文書）に、図８（ｂ）に示す抽出画像（ヨットの画像）が拡大されて重畳されている。
【００８７】
図８（ａ），（ｂ）に示す抽出画像は、投写画像中の重畳位置を指定することにより重畳される。このとき、座標データＰＤは、指定された位置を示す座標（ｘ1，ｙ1）と、予め決定されている各抽出画像の大きさで決定される座標（ｘ2，ｙ2）とから構成される。また、図８（ｃ）に示す抽出画像は、投写画像中の重畳位置および重畳範囲を指定することにより重畳されている。このとき、座標データＰＤは、予め設定された座標（ｘ1，ｙ1）と、指定された大きさに対応する座標（ｘ2 ，ｙ2）とから構成される。
【００８８】
なお、抽出画像ビットマップデータＢＭＤ１は、原画像中の重畳位置を示す座標データＰＤを含むため、リモコン２９で指定した任意の位置に抽出画像を表示することができる。また、抽出画像ビットマップデータＢＭＤ１および座標データＰＤの内容は、常に、同期信号ＲＳＹＮＣに同期して、更新されているため、リモコン２９を操作することにより抽出画像を投写画像内のあらゆる位置にリアルタイムで移動させることができる。さらに、図８（ｂ）に示すように、任意の種類の複数の抽出画像を同時に表示させることができる。なお、抽出画像ビットマップデータＢＭＤ１の生成は、リモコン２９からの指令を受けたリモコン制御部２８が、抽出画像メモリ２４内に格納されているプログラムを実行することによって行われる。
【００８９】
また、画像抽出部７４によって抽出される抽出画像の形状は図８に示すような四角形に限られない。すなわち、原画像のうち、リモコン２９で指定する部分を画像抽出部７４において抽出すればよいので、楕円、円、星形、自由直線で囲まれた図形など種々の形状の抽出画像を得ることができる。
【００９０】
図９は、パーソナルコンピュータから入力された画像に抽出画像を重畳したときの投写スクリーン１０４上に投写された画像の一例を示す説明図である。図９では、楕円形状の抽出画像（ヨットの画像）が入力画像（文書）に重畳されている。
【００９１】
本実施例においては、座標データＰＤは、抽出画像の重畳位置および重畳範囲を示す２点の座標を含むのみであるため、図９に示すような抽出画像を重畳させる場合には、２点の座標によって指定された範囲のうち、抽出画像が存在しない部分については重畳させないための処理を行う。
【００９２】
図１０は、図９に示す抽出画像が展開されているときの抽出画像ビットマップメモリ２６を示す説明図である。図１０に示す抽出画像ビットマップデータＢＭＤ１のうち、楕円の外側の斜線を付した部分の画素については、入力画像に重畳させないので、このような部分の画素については、特定の画素データで構成されている。すなわち、抽出画像が存在しない画素については、使用しない画素データ、例えば、ＲＧＢの３色の画素データの全ビットが「０」のような画素データで展開すればよい。この場合には、例えば、抽出画像ビットマップデータＢＭＤ１を係数設定部４６に入力して、係数設定部４６が抽出画像ビットマップデータＢＭＤ１を調べ、抽出画像が存在しない画素であるか否かを判断する。そして、抽出画像が存在しない画素であることを示す画素データが入力されたときには、乗算部４０，４２に与える係数（ｋ1，ｋ2）を（１，０）に変更すればよい。こうすれば、抽出画像ビットマップデータＢＭＤ１のうち抽出画像が存在する部分のみを入力された画像データに重畳させることができる。もちろん、座標データＰＤを、抽出画像が存在する部分を取り囲む多数点の座標からなるデータとしてもよい。この場合には、座標データＰＤのみによって、抽出画像が存在する部分のみを重畳させることができる。
【００９３】
図８、図９に示す例においては、抽出画像は、入力された原画像の上に、塗りつぶされているように見える。このとき、入力された原画像の一部は、抽出画像に置き換えられている。すなわち、図５に示す抽出画像重畳回路１２において、抽出画像が重畳されていない部分については、乗算部４０，４２の係数（ｋ1，ｋ2）は（１，０）に設定されている。また、抽出画像が重畳されている部分については、係数（ｋ1，ｋ2）は（０，１）に設定されている。
【００９４】
また、乗算部４０，４２の係数ｋ1，ｋ2を変更することにより、透明の抽出画像を重畳することができる。例えば、乗算部４０，４２の係数ｋ1，ｋ2をともに「１／２」にすれば、抽出画像を重畳する部分についても、入力画像が抽出画像を透過しているように見える。
【００９５】
図１１は、透明な抽出画像を重畳したときの投写画像の一例を示す説明図である。図１１（ａ）は、パーソナルコンピュータから入力された画像（グラフ１およびグラフ２）を示しており、破線で囲まれた部分（グラフ２）が、切り抜き部分として指定されている。図１１（ｂ）は、図１１（ａ）に示す入力画像のグラフ１の部分に抽出画像（グラフ２）を重畳した重畳画像を示しており、入力画像（グラフ１）が抽出画像（グラフ２）を透過しているように見える。このように、抽出画像重畳回路１２（図５）の乗算部４０，４２の係数ｋ1，ｋ2をともに「１／２」に設定することにより、透明な抽出画像を重畳したような効果を得ることができる。
【００９６】
上記の図８、図９、図１１に示す重畳画像は、乗算部４０，４２の係数ｋ1，ｋ2を「０」，「１」，「１／２」のように常に一定の値として得られたが、係数ｋ1，ｋ2の値を時間とともに変化させてもよい。例えば、抽出画像を重畳した部分について、はじめに係数（ｋ1，ｋ2）を（０，１）と設定し、時間とともに徐々に（０．１，０．９），（０．２，０．８）…（１，０）としてもよい。このように時間とともに係数ｋ1，ｋ2を変化させた場合、抽出画像を重畳した部分については、はじめ入力画像が抽出画像により塗りつぶされているように見えるが、時間とともに徐々に透明な抽出画像を重畳したように見え、最終的に、重畳した抽出画像が消失するように見える。乗算部４０，４２の係数ｋ1，ｋ2を時間とともに変化させることにより、このような重畳効果を得ることができる。なお、これらの係数値の変更は、ＣＰＵ２０からの指令に基づき係数設定部４６により制御される。
【００９７】
以上の説明から分かるように、本実施例における抽出画像重畳回路１２とフレームメモリ２２とが本発明の第１の態様における画像重畳部に相当する。また、本実施例における抽出画像メモリ２４と抽出画像ビットマップメモリ２６とが本発明の第１の態様における抽出画像メモリに相当する。なお、２つのメモリ２４，２６の一方を省略することも可能である。
【００９８】
Ｂ．第２実施例
図１２は、本発明の第１の態様による第２実施例としての投写型表示装置の全体構成を示すブロック図である。この投写型表示装置は、映像信号変換回路６０と、液晶ディスプレイ駆動回路１４と、液晶ディスプレイパネル１６と、フレームメモリ２２と、抽出画像メモリ２４と、リモコン制御部２８と、ＣＰＵ２０と、照明光学系１００と、投写光学系１０２と、を備えている。映像信号変換回路６０と、抽出画像メモリ２４と、リモコン制御部２８と、ＣＰＵ２０は、バス１によって互いに接続されている。また、液晶ディスプレイ駆動回路１４もバス１に接続されているが、図１２ではその接続を省略している。
【００９９】
第２実施例の投写型表示装置は、第１実施例における図１の抽出画像重畳回路１２および抽出画像ビットマップメモリ２６は含んでいない。本実施例では、映像信号変換回路６０が原画像と抽出画像とを重畳する機能を有する。また、抽出画像メモリ２４内に抽出画像ビットマップデータＢＭＤ１が記憶される。したがって、本実施例における映像信号変換回路６０とフレームメモリ２２とが本発明の第１の態様における画像重畳部に相当する。また、本実施例においては抽出画像メモリ２４のみが本発明の第１の態様における抽出画像メモリに相当する。
【０１００】
図１３は、映像信号変換回路６０の内部構成を示すブロック図である。映像信号変換回路６０は、同期分離部３０と、ＡＤ変換部３２と、ビデオプロセッサ６２とを備えている。同期分離部３０と、ＡＤ変換部３２との機能は、第１実施例における投写型表示装置と同様であるため、それらの説明は省略する。
【０１０１】
ビデオプロセッサ６２は、入力された画像データと抽出画像ビットマップデータとの重畳処理と、抽出画像が重畳された重畳画像データのフレームメモリ２２への書込みと読出しとの制御を行うためのマイクロプロセッサである。
【０１０２】
ビデオプロセッサ６２には、ＡＤ変換部３２から出力された画像データＤＶ１と、バス１を介して抽出画像メモリ２４内に展開された抽出画像ビットマップデータＢＭＤ１とが入力される。ビデオプロセッサ６２における重畳画像データの作成は、画像データＤＶ１と抽出画像ビットマップデータＢＭＤ１とを選択してフレームメモリ２２に書き込むことにより行われる。画像データＤＶ１と抽出画像ビットマップデータＢＭＤ１との選択は、ビデオプロセッサ６２内部のデータセレクタによって行われる。
【０１０３】
図１４は、ビデオプロセッサ６２の内部構成の一例を示すブロック図である。ビデオプロセッサ３４は、書込制御部７０と、読出制御部７２と、画像抽出部７４と、データセレクタ７６とを備えている。
【０１０４】
画像抽出部７４（図１４）は、画像データＤＶ１がビデオプロセッサ６２に入力される際に、画像データＤＶ１中の切り抜き部分として指定された部分のデータを抽出する機能を有する。また、画像抽出部７４は、抽出した抽出画像データを圧縮し、バス１を介して、抽出画像メモリ２４に格納する機能を有する。なお、画像抽出部７４は、抽出画像データを圧縮しなくてもよい。また、圧縮する替わりに抽出画像データを縮小させてもよい。なお、画像データ中の切り抜き部分の指定は、リモコン２９で行うことができる。リモコン２９で画像データ中の切り抜き部分を指定することにより、ＣＰＵ２０が、その切り抜き部分に対応するサンプリング信号ＳＭＰを出力し、画像抽出部７４はサンプリング信号ＳＭＰに基づいて切り抜き部分の画素データを抽出する。これにより、指定された部分についての画素データのみを抽出することができる。
【０１０５】
データセレクタ７６（図１４）には、画像データＤＶ１と、抽出画像メモリ２４内に展開された抽出画像ビットマップデータＢＭＤ１とが入力され、また、選択信号ＳＥＬが入力されている。なお、データセレクタ７６は、ＲＧＢの各色毎に設けられている。画像データＤＶ１と抽出画像ビットマップデータＢＭＤ１との選択は、画素データ毎に行われ、選択信号ＳＥＬにより制御される。データセレクタ７６は、選択信号ＳＥＬに基づいて、画像データＤＶ１あるいは抽出画像ビットマップデータＢＭＤ１のどちらか一方の画素データを選択して出力する。したがって、フレームメモリ２２に書き込まれたデータは、入力画像に抽出画像を重畳した重畳画像データとなっている。なお、選択信号ＳＥＬは、座標データＰＤに基づいて、ＣＰＵ２０により生成される。
【０１０６】
本実施例においては、重畳画像は、入力された画像の上に塗りつぶされているように見える。これは、第１実施例における抽出画像重畳回路１２（図５）の乗算部４０，４２の係数（ｋ1，ｋ2）を、抽出画像を重畳させる部分について（０，１）としたときに相当する。
【０１０７】
なお、抽出画像ビットマップデータＢＭＤ１が図６（ｂ）に示すように展開されているとき、データセレクタ７６には、座標データＰＤの座標（ｘ1，ｙ1）と（ｘ2，ｙ2）との範囲内でのみ抽出画像ビットマップデータＢＭＤ１が入力される。抽出画像ビットマップデータＢＭＤ１をデータセレクタ７６へ入力させるタイミングは、同期信号ＷＳＹＮＣと座標データＰＤとに基づいてＣＰＵ２０により制御される。すなわち、抽出画像ビットマップデータＢＭＤ１の座標データＰＤから、重畳位置に対応する画像データＤＶ１の画素データの入力タイミングを求めることにより、抽出画像ビットマップデータＢＭＤ１を入力させるタイミングを決定する。また、抽出画像ビットマップデータＢＭＤ１の入力と同時に、選択信号ＳＥＬによって抽出画像ビットマップデータＢＭＤ１を選択する。こうすれば、画像データＤＶ１と抽出画像ビットマップデータＢＭＤ１との選択は、画像中の同じ位置に対応する画素毎に行うことができる。
【０１０８】
また、抽出画像ビットマップデータＢＭＤ１が図７に示すように展開されているときには、画像データＤＶ１と抽出画像ビットマップデータＢＭＤ１との、画像中の同じ位置に対応する画素データが同時にデータセレクタ７６に入力される。入力させる画素データの指定は、同期信号ＷＳＹＮＣに基づいて行われる。すなわち、ビデオプロセッサ６２に入力される画像データＤＶ１に同期して、抽出画像メモリ２４から抽出画像ビットマップデータＢＭＤ１を読み出すことにより、画像中の同じ位置にある画素データを対応させることができる。また、座標データＰＤに基づいて選択信号ＳＥＬをデータセレクタ７６に供給することにより、入力画像に抽出画像を重畳することができる。
【０１０９】
書込制御部７０および読出制御部７２は、重畳画像データをフレームメモリ２２へ書き込む際の、あるいは読み出す際の、アドレスＡＤＤ１，ＡＤＤ２や制御信号ＣＴＲ１，ＣＴＲ２を生成して、フレームメモリ２２に供給する機能を有する。重畳画像データは、書込制御部７０で生成されるアドレスＡＤＤ１や制御信号ＣＴＲ１に従ってフレームメモリ２２に書き込まれる。また、フレームメモリ２２に書き込まれた重畳画像データは、読出制御部７２で生成されるアドレスＡＤＤ２や制御信号ＣＴＲ２に従って読み出される。なお、これらのアドレスや制御信号は、同期信号（ＷＳＹＮＣあるいはＲＳＹＮＣ）に基づいて生成される。
【０１１０】
なお、フレームメモリ２２への重畳画像データの書き込みは、同期信号ＷＳＹＮＣに同期して行われる。また、フレームメモリ２２からの重畳画像データの読み出しは、液晶ディスプレイ駆動回路１４（図１２）から出力される同期信号ＲＳＹＮＣに同期して行われる。なお、第１の同期信号ＷＳＹＮＣと第２の同期信号ＲＳＹＮＣとは互いに非同期である。もちろん、第１の同期信号ＷＳＹＮＣと、第２の同期信号ＲＳＹＮＣとして、互いに同期する信号を使用することも可能である。
【０１１１】
本実施例においては、上記のように、重畳画像データは、フレームメモリ２２に直接書き込むことによって得られる。フレームメモリ２２に書き込まれた重畳画像データは、ビデオプロセッサ６２により読み出される。
【０１１２】
映像信号変換回路６０（図１２）から出力される重畳画像データＤＤＶ２は、液晶ディスプレイ駆動回路１４（図１２）に供給される。液晶ディスプレイ駆動回路１４は、この重畳画像データＤＤＶ２に応じて、液晶ディスプレイパネル１６に抽出画像が重畳された画像を表示する。液晶ディスプレイパネル１６に表示された画像は、光学系１００，１０２を用いて投写スクリーン１０４上に投写される。
【０１１３】
以上のように上記第１および第２実施例では、投写型表示装置内部において入力画像の少なくとも一部を抽出画像として抽出することができるので、入力された画像に他の画像から切り抜いた抽出画像を重畳させることができる。したがって、パーソナルコンピュータからの画像信号のみならず、ビデオレコーダやテレビから入力された画像信号についても抽出画像を抽出して入力画像に重畳させることが可能となる。また、抽出画像は、座標データＰＤにより、入力画像中の任意の位置に重畳可能であり、抽出画像を拡大・縮小して重畳することもできる。
【０１１４】
Ｃ．第３実施例：
次に、本発明の第２の態様による実施の形態を実施例に基づき説明する。
【０１１５】
Ｃ−１．投写型表示装置の全体構成および動作：
図１５は、本発明の第２の態様による実施例としての投写型表示装置の全体構成を示すブロック図である。本実施例における投写型表示装置は、映像信号処理回路２１０と、オンスクリーンディスプレイ（ＯＳＤ）コントローラ２１２と、ＯＳＤメモリ２１３と、液晶ライトバルブ駆動回路２１４と、液晶ライトバルブ２１６と、フレームメモリ２２２と、抽出画像メモリ２２４と、リモコン制御部２８と、ＣＰＵ２０と、照明光学系１００と、投写光学系１０２と、を備えている。映像信号処理回路２１０と、ＯＳＤコントローラ２１２と、抽出画像メモリ２２４と、リモコン制御部２８と、ＣＰＵ２０は、バス１によって互いに接続されている。
【０１１６】
映像信号処理回路２１０は、入力されたアナログ画像信号ＡＶ１をＡＤ変換して、ＡＤ変換された画像データをフレームメモリ２２２に書き込んだり、画像データをフレームメモリ２２２から読み出したりするための回路である。なお、アナログ画像信号ＡＶ１としては、例えば、パーソナルコンピュータから出力されたコンピュータ画面を表すＲＧＢ信号Ｓ１や、ビデオレコーダやテレビジョン受信機から出力された動画を表すコンポジット画像信号Ｓ２などの画像信号が供給される。
【０１１７】
図１６は、映像信号処理回路２１０の内部構成を示すブロック図である。映像信号処理回路２１０は、同期分離部２３０と、ＡＤ変換部２３２と、ビデオプロセッサ２３４とを備えている。なお、本実施例の同期分離部２３０およびＡＤ変換部２３２は、第１実施例（図２）の同期分離部３０およびＡＤ変換部３２と同様の機能を有しているので詳細な説明は省略する。
【０１１８】
ビデオプロセッサ２３４は、フレームメモリ２２２への画像データの書き込み制御と読み出し制御や、抽出画像メモリ２２４への抽出画像データの書き込み制御と読み出し制御などの種々の画像処理を行うための回路（マイクロプロセッサ）である。ビデオプロセッサ２３４には、ＡＤ変換部２３２から出力された画像データＤＶ１が入力される。また、ビデオプロセッサ２３４には、抽出画像メモリ２２４内に記憶されている抽出画像データＣＰＤ１と、ＣＰＵ２０によって生成された背景画像ＢＧＤ１とを含む特定の画像データ（以下、「特定画像データ」）がバス１を介して入力される。
【０１１９】
図１７は、ビデオプロセッサ２３４の内部構成の一例を示すブロック図である。ビデオプロセッサ２３４は、書込制御部２７０と、読出制御部２７２と、抽出制御部２７４と、データセレクタ２７６とを備えている。なお、本実施例の書込制御部２７０および読出制御部２７２は、第１実施例（図３）の書込制御部７０および読出制御部７２と同様の機能を有しているので詳細な説明は省略する。
【０１２０】
データセレクタ２７６には、画像データＤＶ１と、抽出画像メモリ２２４に記憶されている抽出画像データＢＭＤ１やＣＰＵ２０により生成された背景画像データＢＧＤを含む特定画像データＳＰＤ１が入力され、また、選択信号ＳＥＬが入力されている。なお、データセレクタ２７６は、ＲＧＢの各色毎に設けられている。画像データＤＶ１と特定画像データＳＰＤ１との選択は、「通常画像表示モード」であるか「特定画像表示モード」であるかによって、選択信号ＳＥＬにより制御される。これらのモードについては後述する。データセレクタ２７６は、選択信号ＳＥＬに基づいて、画像データＤＶ１あるいは特定画像データＳＰＤ１のどちらか一方の画像データを選択して出力する。したがって、フレームメモリ２２２には、通常表示モードであるか特定画像表示モードであるかに応じて、入力画像データＤＶ１か特定画像データＳＰＤ１のどちらか一方の画像データが記憶される。なお、選択信号ＳＥＬは、後述するリモコン２９を用いてユーザが選択することによって、ＣＰＵ２０により生成される。
【０１２１】
なお、フレームメモリ２２２への画像データの書き込みは、書き込まれる画像データが入力画像データＤＶ１の場合には、同期信号ＷＳＹＮＣに同期して行われる。一方、書き込まれる画像データが特定画像データＳＰＤ１の場合には、ＣＰＵ２０からバス１を介して書込制御部２７０に供給される制御信号に従って行われる。また、フレームメモリ２２２からの画像データの読み出しや、ビデオプロセッサ２３４から出力される画像データＤＶ２の後段の回路における処理は、後述する液晶ライトバルブ駆動回路２１４（図１５）が液晶ライトバルブ２１６を駆動するために最適な同期信号ＲＳＹＮＣに同期して行われる。この同期信号ＲＳＹＮＣは、ビデオプロセッサ２３４内に備える図示しない同期信号生成回路によって生成される。なお、第１の同期信号ＷＳＹＮＣと第２の同期信号ＲＳＹＮＣとは互いに非同期である。もちろん、第１の同期信号ＷＳＹＮＣと、第２の同期信号ＲＳＹＮＣとして、互いに同期する信号を使用することも可能である。なお、同期信号生成回路は、必ずしもビデオプロセッサ２３４内に備える必要はない。例えば、液晶ライトバルブ駆動回路２１４内に備えるようにしてもよい。また、独立して備えるようにしてもよい。
【０１２２】
抽出制御部２７４は、フレームメモリ２２２に書き込まれた画像データが読み出される際に、後述するようにして指定された画像データ中の指定部分のデータを抽出する機能を有する。また、抽出制御部２７４は、後述するようにして設定された画像の拡大／縮小率に基づいて、抽出した抽出画像データを拡大／縮小する機能を有する。また、抽出制御部２７４は、抽出画像データＣＰＤ１を、バス１を介して、抽出画像メモリ２２４に書き込む機能を有する。なお、画像データ中の切り抜き部分（抽出領域）の指定は、後述するリモコン２９で行うことができる。リモコン２９で画像データ中の切り抜き部分を指定することにより、ＣＰＵ２０が、その切り抜き部分に対応する抽出アドレスＳＡＤＤを出力し、抽出制御部２７４は抽出アドレスＳＡＤＤと、読出制御部２７２から出力されるアドレスＡＤＤ２とに基づいて切り抜き部分の画像データを抽出する。これにより、指定された部分についての画像データのみを抽出することができる。
【０１２３】
フレームメモリ２２２に記憶された画像データＤＶ１あるいは特定画像データＳＰＤ１は、同期信号ＲＳＹＮＣに同期してフレームメモリから読み出され、ビデオプロセッサ２３４から画像データＤＶ２が出力される。
【０１２４】
図１５に示す抽出画像メモリ２２４は、ビデオプロセッサ２３４内の抽出制御部２７４（図１７）により抽出された抽出画像データＣＰＤ１を格納するためのメモリである。抽出画像データＣＰＤ１は、所定のフォーマットで抽出画像メモリ２２４に格納される。この所定のフォーマットに特に限定はなく、予め決められてフォーマットであればよい。例えば、抽出画像データＣＰＤ１は、圧縮データでもよいし、ビットマップデータであってもよい。抽出画像データＣＰＤ１が圧縮データである場合には、抽出画像データＣＰＤ１は、抽出画像メモリ２２４に書き込まれる際にＣＰＵ２０あるいは抽出制御部２７４によって圧縮されて、抽出画像メモリ２２４に書き込まれる。また、抽出画像メモリ２２４から読み出される際に、ＣＰＵ２０あるいは抽出制御部２７４によって展開される。
【０１２５】
図１８は、抽出画像メモリ２２４を示す説明図である。抽出画像メモリ２２４内には、１つの抽出画像データが格納されている。この格納データは、抽出画像データの内容を示す情報ＩＤと、抽出画像データＣＰＤ１が格納されている。なお、抽出画像メモリ２２４には、１種類に限らず複数種類の格納データを格納することもできる。
【０１２６】
図１５に示すＯＳＤコントローラ２１２は、リモコン制御部２８を介して供給されるリモコン２９からの指令に基づいて、投写型表示装置の各部の機能を制御するためのメニュー画面やポインタ画像などを表すＯＳＤ画像データを生成する。ＯＳＤメモリ２１３には、ポインタ画像の画像データやメニュー画面を構成するグラフィックデータやフォントデータなどが所定のフォーマットで記憶されている。メニュー画面やポインタ画像などを表示する場合には、ＯＳＤコントローラ２１２は、ＯＳＤメモリ２１３から対応する画像データを読み出してＯＳＤ画像データを生成する。また、ＯＳＤコントローラ２１２は、このＯＳＤ画像データを映像信号処理回路２１０から出力された画像データＤＶ２に合成する。ＯＳＤコントローラ２１２における画像データＤＶ２とＯＳＤ画像データとの合成は、ＯＳＤコントローラ２１２に図示しないセレクタ回路を備えることによって行うことができる。あるいは、画像データＤＶ２とＯＳＤ画像データとをそれぞれ所定の値で定数倍する２つの乗算器と、２つの乗算結果を加算する加算器とを備えることによって行うことができる。なお、画像データ中の切り抜き部分を指定するための画像（抽出領域指定画像）は、このＯＳＤコントローラ２１２によって生成される。
【０１２７】
ＯＳＤコントローラ２１２から出力された画像データＤＶ３は、液晶ライトバルブ駆動回路２１４に供給される。液晶ライトバルブ駆動回路２１４は、この画像データＤＶ３に応じて、照明光学系１００の照明光を液晶ライトバルブ２１６を介して変調する。液晶ライトバルブ２１６において変調された照明光は、投写光学系１０２によって投写スクリーン１０４上に投写され、投写スクリーン１０４には、画像が表示される。なお、この実施例における液晶ライトバルブ２１６が本発明の第２の態様における電気光学装置に相当し、液晶ライトバルブ駆動回路２１４が画像表示信号生成部に相当する。また、本発明の「投写光学系」は、狭義の投写光学系だけでなく、照明光学系を含む広義の投写光学系をも含むものである。なお、液晶ライトバルブ駆動回路２１４は、電気光学装置である液晶ライトバルブ２１６の基板上に形成し、両者を一体に構成しても構わない。
【０１２８】
なお、ＯＳＤコントローラ２１２と液晶ライトバルブ駆動回路２１４との間に図示しない拡大／縮小処理回路を備えて、ＯＳＤコントローラ２１２から出力された画像データＤＶ３を縮小または拡大処理して表示するようにしてもよい。
【０１２９】
リモコン制御部２８（図１５）は、リモコン２９からの指令に基づいて、投写型表示装置の各部の機能を制御する。リモコン制御部２８によって制御されるのは、主として抽出画像に関する処理である。例えば、リモコン２９からの、画像データ中の切り抜き部分の指定、抽出画像の表示・非表示などの指令に基づいて各部の機能を制御する。
【０１３０】
なお、映像信号処理回路２１０と、ＯＳＤコントローラと、リモコン制御部２８の機能はハードウェアだけでなく、コンピュータプログラムによって実現することもできる。
【０１３１】
上記のように構成された投写型表示装置において、通常、ユーザがリモコン２９によって通常画像表示モードを選択している場合には、映像信号処理回路２１０に外部から入力されたアナログ画像信号ＡＶ１を示すデジタル画像データＤＶ１がフレームメモリ２２２に記憶され、この画像データＤＶ１の表す画像を投写スクリーン１０４上に表示することができる。図１９は、外部から入力された画像を投写スクリーン１０４上に表示した一例を示している。また、ユーザがリモコン２９によって特定画像表示モードを選択した場合には、ＣＰＵ２０によって生成された背景画像ＢＧＤ１や、抽出画像メモリ２２４に記憶されている抽出画像データＣＰＤ１が特定画像データＳＰＤ１としてフレームメモリ２２２に記憶され、このフレームメモリ２２２に記憶された特定画像データＳＰＤ１の表す特定画像を投写スクリーン１０４上に表示することができる。図２０は、抽出画像メモリ２２４に格納されている抽出画像データＣＰＤ１と背景画像データＢＧＤ１とを含む特定画像データＳＰＤ１の表す特定画像を投写スクリーン１０４上に表示した一例を示している。
【０１３２】
なお、ユーザが特定画像表示モードを選択する場合には、抽出画像メモリ２２４に記憶されている複数種類の抽出画像のなかから、特定画像として表示させたい抽出画像を選択するようにすることもできる。また、抽出画像メモリ２２４に記憶されている複数種類の抽出画像の中からいくつかの抽出画像を順に選択して、これらの抽出画像を順番に繰り返し表示させることもできる。図２１は、３種類の抽出画像データＣＰＤ１（Ａ），ＣＰＤ１（Ｂ），ＣＰＤ１（Ｃ）の表す抽出画像を順に選択して投写スクリーン１０４に表示した一例を示している。
【０１３３】
上記の投写型表示装置においては、プレゼンテーションにおいて、質疑応答時や、新たな投写画像が表示されるまでに多少の時間を要する時などにおいて、プレゼンテーションに用いられる画像に代えて予め用意されている会社のロゴマークや製品画像など（特定画像）を表示してプレゼンテーション効果を高めることができる。
【０１３４】
なお、抽出画像メモリ２２４に記憶される抽出画像データＣＰＤ１は、以下に説明するように抽出することができる。
【０１３５】
Ｃ−２．抽出画像の抽出：
図２２ないし図２７は、投写型表示装置に入力される画像から抽出画像（文字列「ＵＳＥＲ  ＬＯＧＯ」）を切り取る手順について示す説明図である。図２２ないし図２７の各図は、投写スクリーン１０４に表示されている画像を示している。
【０１３６】
リモコン２９の図示しない「メニューキー」を押すことによりＯＳＤコントローラ２１２（図１５）によってメニュー画面が表示される。このメニュー画面の中から「画像抽出設定」を選択してリモコン２９の「決定キー」を押すと、抽出画像設定モードが開始される。なお、以下では、上記のようにリモコン２９によって画面上の言葉や領域等を選択し、リモコン２９の「決定キー」を押すことを「選択決定する」という。抽出画像設定モードが開始されると、フレームメモリ２２２への書き込みが停止される。この停止は、抽出画像設定モードの開始に応じて行われるようにすればよい。動画像を表示しているような場合には、ユーザが選択してリモコン２９を用いて停止を選択決定するようにしてもよい。
【０１３７】
フレームメモリ２２２への書き込みが停止されると、図２２に示すように、その時点でフレームメモリ２２２に記憶されている画像がスクリーン１０４に表示される。また、ＯＳＤコントローラ２１２によって画像抽出設定画面が表示される。画像抽出設定画面には、「この画像の一部を抽出画像として使用しますか？」と表示され、現在表示されている画像から画像を抽出するか否かを決定する。なお、この選択決定された画像を抽出対象画像と呼ぶ。「いいえ」を選択決定した場合には、抽出画像設定モードが終了してメニュー画面が表示される。「はい」を選択決定した場合には、図２３に示すように、ＯＳＤコントローラ２１２によって抽出画像を選択するための選択枠ＷＦが表示される。この表示枠ＷＦは、予め決定されたサイズの枠である。また、この選択枠ＦＷは、２重の黒線枠で構成され、２つの黒線枠の間は白色画像となっている。このように構成された選択枠ＷＦは、任意の画像に対して比較的枠の視認性が良い。従って、容易に抽出領域を判別することができ、抽出領域を容易に設定することができる。なお、ユーザがサイズを任意に設定できる枠としてもよい。この選択枠ＦＷをリモコン２９に搭載されているポインティングデバイス（例えば、上下左右キー）を用いて移動させ、抽出対象画像の中から抽出したい画像を選択決定する。
【０１３８】
抽出対象画像の中から抽出したい画像が選択枠ＦＷによって選択されると、この選択された画像（以下、「選択抽出画像」と呼ぶ。）ＳＣＰＤは、図２４に示すように画面の中央部に移動して表示される。この選択抽出画像ＳＣＰＤを除く部分は、黒色の画像でマスクされている。また、ＯＳＤコントローラ２１２によって画像抽出設定画面には、「この画像を使用しますか？」と表示され、現在抽出されている画像を利用するか否かを決定する。「いいえ」を選択決定した場合には、抽出画像設定モードが終了してメニュー画面が表示される。「はい」を選択決定した場合には、図２５に示すように、ＯＳＤコントローラ２１２によって画像抽出設定画面には、「表示倍率を設定してください」と表示される。
【０１３９】
このとき、画像抽出設定画面上に表示されている表示倍率のいずれかを選択すると、選択抽出画像ＳＣＰＤがその表示倍率で表示される。異なった表示倍率を選択すれば、その表示倍率で再表示される。これにより、異なった表示倍率を何度か選択して表示させつつ、所望の表示倍率を選択することができる。そして、実行キー（決定キー）を押すことにより、所望の表示倍率を決定する。なお、表示倍率は、任意の倍率を選択するようにしてもよい。
【０１４０】
抽出したい画像および表示倍率が決定されると、図２６に示すようにＯＳＤコントローラ２１２によって画像抽出設定画面には、「この画像を保存しますか？」と表示され、この画像を表す画像データを抽出画像メモリ２２４（図１５）に抽出画像データＣＰＤ１として保存するか否かを決定する。「いいえ」を選択決定した場合には、抽出画像設定モードが終了してメニュー画面が表示される。「はい」を選択決定した場合には、抽出画像データＣＰＤ１の抽出画像メモリ２２４（図１５）への保存が実行される。保存が終了すると、画像抽出画面には、「抽出画像の保存が終了しました」と表示され、抽出画像の抽出が終了する（図２７）。なお、上記設定中、「メニューキー」を押すことにより、いつでもメニュー画面に戻ることができる。
【０１４１】
この投写型表示装置においては、上記の手順により、ユーザが画像抽出設定画面に従って、任意の抽出対象画像を選択して、容易に画像を抽出することができる。また、抽出された画像を確認しながら、抽出画像メモリ２２４へ格納する抽出画像データの処理条件（表示倍率）を決定することができる。
【０１４２】
以上の説明からわかるように、本実施例におけるビデオプロセッサ２３４と、ＯＳＤコントローラ２１２と、リモコン制御部２８と、ＣＰＵ２０とが、本発明の第２の態様における画像抽出部および特定画像表示制御部に相当する。
【０１４３】
Ｄ．第４実施例
図２８は、本発明の第２および第３の態様による実施例としての投写型表示装置の全体構成を示すブロック図である。この投写型表示装置は、動作条件判定部２２６を備えている点を除いて、第３実施例の投写型表示装置と同様の構成を有しているため、それらの説明は省略する。
【０１４４】
図２９は、動作条件判定部２２６の構成を示す概略ブロック図である。動作条件判定部２２６は、画像信号検出部２４２と、装置起動検出部２４４と、判定部２４６とを備えている。画像信号検出部２４２には、画像信号に含まれる同期信号ＷＳＹＮＣが入力されており、投写型表示装置に画像信号が入力されているか否かを検出する機能を有する。装置起動検出部２４４には、電源電圧Ｖｃｃが入力されており、投写型表示装置が起動されて投写表示可能であるか否かを検出する機能を有する。判定部２４６は、画像信号検出部２４２または装置起動検出部２４４で検出された検出信号Ｄ１，Ｄ２に基づいて外部から入力される画像を投写表示可能であるか否かを判定する機能を有する。
【０１４５】
図３０は、動作条件判定部２２６の動作を示すタイムチャートである。図３０（ａ）は、装置の電源電圧Ｖｃｃを示している。図３０（ｂ）は、装置起動検出部２４４から出力される起動検出信号Ｄ２示している。図３０（ｃ）は、投写型表示装置に入力される画像信号に含まれる同期信号ＷＳＹＮＣを、図３０（ｄ）は、画像信号検出部２４２から出力される検出信号Ｄ１を示している。図３０（ｅ）は、動作条件判定信号ＳＰＤＭＯＤＥを示している。
【０１４６】
図３０（ａ）に示すように、電源電圧Ｖｃｃが、投写型表示装置の動作を開始するために十分な電圧になると、起動検出信号Ｄ２は、図３０（ｂ）に示すように、所定の期間Ｔ２後にＬ（ロウ）レベルからＨ（ハイ）レベルに変化する。投写型表示装置に電源電圧が印加されれば、比較的短い期間で特定画像の表示は可能となる。しかし、外部から入力される画像が表示可能となるためには、さらに、内部の回路動作の基準となる同期クロックの生成等のために時間がかかる。所定の期間Ｔ２は、このような投写型表示装置に電源電圧が印加されて、特定画像の表示は可能であるが、外部から入力される画像を表示させるには不安定な期間を示している。起動検出信号Ｄ２がＬレベルにあるときは、まだ表示のための準備が完了していないことを示しており、動作条件判定信号ＳＰＤＭＯＤＥは、図３０（ｅ）に示すように、Ｌレベルとなる。動作条件判定信号ＳＰＤＭＯＤＥがＬレベルであることは、投写型表示装置が特定画像表示モードであることを示しており、特定画像の表示が実行される。起動検出信号Ｄ２がＨレベルに変化すると、動作条件判定信号ＳＰＤＭＯＤＥは、Ｈレベルとなる。動作条件判定信号ＳＰＤＭＯＤＥがＨレベルであることは、投写型表示装置が通常画像表示モードであることを示しており、入力される画像信号の表す画像が表示される。
【０１４７】
画像信号検出部２４２は、図３０（ｃ）に示すように、同期信号ＷＳＹＮＣが所定の周期間隔Ｔｃで入力されているか否かを検出する。同期信号周期Ｔｃ間隔でパルス信号が入力されている場合には、図３０（ｄ）に示すように、同期検出信号Ｄ１は、Ｈレベルとなる。同期信号周期Ｔｃ間隔でパルス信号が検出されない場合には、所定の期間Ｔ１後に同期検出信号Ｄ１はＬレベルに変化する。所定の期間Ｔ１は、検出マージンを示している。同期検出信号Ｄ１がＬレベルにあるときは、図３０（ｅ）に示すように、動作条件判定信号ＳＰＤＭＯＤＥは、Ｌレベルに変化し、特定画像の表示が実行される。
【０１４８】
以上のように、本実施例においては、動作条件判定部２２６が、投写型表示装置の起動後において投写表示可能状態にあるか否か、および、投写型表示装置に画像信号が入力されているか否かを検出し、通常画像表示モードとして入力されている画像を投写表示するか、特定画像表示モードとして第３実施例で説明した特定画像を投写表示するかを、自動的に切り替えて表示させることができる。
【０１４９】
以上の説明からわかるように、本実施例における動作条件判定部２２６が本発明の第２および第３の態様における動作条件判定部に相当する。また、ビデオプロセッサ２３４と、ＯＳＤコントローラ２１２と、ＣＰＵ２０とが、本発明の第２および第３の態様における画像抽出部および特定画像表示制御部に相当する。
なお、画像信号検出部２４２は、同期信号ＷＳＹＮＣによって画像信号が入力されているか否かを検出しているが、これに限定する必要はなく、種々の検出方法が考えられる。例えば、色信号や輝度信号等の画像信号を入力して、ある程度の期間画像信号が黒レベル信号のままであれば、画像信号が入力されていないと検出するようにしてもよい。
【０１５０】
なお、この発明は上記の実施例や実施形態に限られるものではなく、その要旨を逸脱しない範囲において種々の態様において実施することが可能であり、例えば次のような変形も可能である。
【０１５１】
第１ないし第４実施例では、投写型表示装置を例に説明しているが、これに限定されるものではなく、種々の画像表示装置に適用可能である。
【０１５２】
第１実施例においては、抽出画像の重畳は、抽出画像重畳回路１２（図５）内部の２つの乗算部４０，４２および１つの加算部４４によって行われているが、これに替えて、図１４に示すデータセレクタ７６を用いてもよい。これによっても、乗算部４０，４２の係数（ｋ1，ｋ2）が（１，０）あるいは（０，１）に相当する塗りつぶしの重畳効果を得ることができる。
【０１５３】
第１実施例においては、抽出画像の重畳は、抽出画像重畳回路１２（図５）内部の２つの乗算部４０，４２および１つの加算部４４によって行われているが、係数ｋ1，ｋ2がともに「１／２」のときの透明の重畳効果であれば、乗算部４０，４２は用いなくてもよい。すなわち、加算部４４において、加算されたデータの下位１ビットを消去するようにビットシフトさせることによっても、同様の透明な重畳効果を得ることができる。
【０１５４】
また、第２実施例においては、抽出画像の重畳は、データセレクタ７６（図１４）によって行われているが、これに替えて図５に示す乗算部および加算部を用いてもよい。こうすれば、塗りつぶしの重畳効果だけでなく、透明の重畳効果を得ることができる。
【０１５５】
第１および第２実施例において、抽出画像ビットマップデータが、図７に示すように、画像データの１フレーム分に相当するメモリ容量が抽出画像に割り当てられて展開されるときには、座標データＰＤに替えてフラグを用いても同様の効果を得ることができる。すなわち、抽出画像ビットマップデータ中の抽出画像が存在する部分の画素データに、例えば、１ビットのフラグを設け、フラグの有無で抽出画像の有無を判断することができる。この場合には、フラグの有無により、第１実施例における乗算部４０，４２（図５）の係数ｋ1，ｋ2を変更でき、また、第２実施例におけるデータセレクタ７６（図１４）の選択を変更することができる。これにより、座標データを用いる場合と同様の効果を得ることが可能となる。
【０１５６】
上記第１および第２実施例においては、抽出画像ビットマップデータＢＭＤ１は抽出画像ビットマップメモリ２６あるいは抽出画像メモリ２４内に展開されて格納されているが、展開するのは抽出画像ビットマップメモリ２６および抽出画像メモリ２４に限られない。すなわち、その他の記憶領域を準備して格納してもよい。
【０１５７】
上記第１および第２実施例においては、抽出画像メモリ２４に格納される抽出画像は、画像抽出部７４により抽出された抽出画像のみが格納されているが、抽出画像メモリ２４に格納される画像はこれに限られない。すなわち、他の装置で作成した画像、例えば、スキャナで読み取った画像や、パーソナルコンピュータで作成した画像を予め抽出画像メモリ２４に格納してもよい。こうすれば、投写型表示装置において切り抜いた抽出画像のみでなく、他の画像を原画像に重畳させることができる。
【０１５８】
上記第１および第２実施例においては、入力画像に重畳させる画像は常に抽出画像メモリ２４に格納されているが、入力画像に重畳させる画像は、予め抽出画像メモリ２４に格納された画像に限らない。すなわち、リモコン２９で描画した図形のビットマップデータを抽出画像ビットマップメモリ２６に直接書き込むことにより、描画した画像を重畳させることができる。こうすれば、ユーザが描画プログラムを用いてリモコン２９で指定した任意形状の描画画像、例えば、自由曲線などを重畳させることが可能となる。
【０１５９】
第３および第４実施例では、特定画像データＳＰＤ１をフレームメモリ２２２に書き込むことによって、特定画像の表示を行う場合を例に説明しているが、これに限定されるものではない。例えば、特定画像データＳＰＤ１をＯＳＤメモリ２１３に書き込んで、ＯＳＤ画像データの表すＯＳＤ画像としてＯＳＤコントローラ２１２によって表示させるようにすることもできる。
【０１６０】
上記第３実施例では、本発明の第２の態様における画像抽出部を用いて、任意に抽出した画像を含む特定画像を表示する場合を例に説明しているが、これに限定されるわけではない。画像抽出部を備えない投写型表示装置において、予めコンピュータを介して供給された特定画像や、記憶媒体に記憶されデータ読み取り装置を介して供給された特定画像を表示するようにしてもよい。
【０１６１】
上記第４実施例で説明した動作条件は、投写型表示装置が起動されて投写表示可能であるか否か、および、投写型表示装置に画像信号が入力されているか否かのみに限定されるものではなく、種々の動作条件を設定し、これに対応する判定回路を動作条件判定部に備えるようにしてもよい。
【０１６２】
上記第１および第２実施例においては、投写型表示装置の光変調手段として液晶ディスプレイパネル１６を用いているが、これに限られない。すなわち、光変調手段としては画像データに応じて輝度変化が得られるものであればよい。例えば、画素に応じて配置された鏡面素子における反射を利用した光変調手段を用いてもよいし、通常は光変調手段と呼ばれないＣＲＴやプラズマディスプレイパネルなどを用いてもよい。
【０１６３】
また、第３および第４実施例においては、投写型表示装置の電気光学デバイスとして液晶ライトバルブ２１６を用いているが、これに限られない。すなわち、電気光学デバイスとしては、画像信号に応じて画像を形成する光を射出する種々の装置を利用することができる。例えば、ＤＭＤ（ディジタルマイクロミラーデバイス）（ＴＩ社の商標）を用いても良いし、ＣＲＴやプラズマディスプレイパネルなどを用いてもよい。
【０１６４】
上記実施例において、ハードウェアによって実現されていた構成の一部をソフトウェアに置き換えるようにしてもよく、逆に、ソフトウェアによって実現されていた構成の一部をハードウェアに置き換えるようにしてもよい。
【０１６５】
産業上の利用可能性：
この発明は、投写型表示装置などの種々の画像表示装置に適用可能である。この発明を用いた投写型表示装置は、例えば、コンピュータやビデオレコーダなどから供給された画像をスクリーン上に投写するのに適用できる。
【図面の簡単な説明】
【図１】  本発明の第１の態様による第１実施例としての投写型表示装置の全体構成を示すブロック図である。
【図２】  映像信号変換回路１０の内部構成を示すブロック図である。
【図３】  ビデオプロセッサ３４の内部構成の一例を示すブロック図である。
【図４】  本実施例におけるフレームメモリ２２、抽出画像メモリ２４、抽出画像ビットマップメモリ２６を示す説明図である。
【図５】  抽出画像重畳回路１２の内部構成を示すブロック図である。
【図６】  フレームメモリ２２内に記憶されている画像データと、抽出画像ビットマップメモリ２６内に記憶されている抽出画像ビットマップデータＢＭＤ１との重畳処理を示す説明図である。
【図７】  抽出画像ビットマップメモリ２６内に展開されている抽出画像ビットマップデータＢＭＤ１を示す説明図である。
【図８】  パーソナルコンピュータから入力された画像に抽出画像を重畳したときの投写スクリーン１０４上に投写された画像の一例を示す説明図である。
【図９】  パーソナルコンピュータから入力された画像に抽出画像を重畳したときの投写スクリーン１０４上に投写された画像の一例を示す説明図である。
【図１０】  図９に示す抽出画像が展開されているときの抽出画像ビットマップメモリ２６を示す説明図である。
【図１１】  透明の抽出画像を重畳したときの投写画像の一例を示す説明図である。
【図１２】  本発明の第１の態様による第２実施例としての投写型表示装置の全体構成を示すブロック図である。
【図１３】  映像信号変換回路６０の内部構成を示すブロック図である。
【図１４】  ビデオプロセッサ６２の内部構成の一例を示すブロック図である。
【図１５】  本発明の第２の態様による実施例としての投写型表示装置の全体構成を示すブロック図である。
【図１６】  映像信号処理回路２１０の内部構成を示すブロック図である。
【図１７】  ビデオプロセッサ２３４の内部構成の一例を示すブロック図である。
【図１８】  抽出画像メモリ２２４を示す説明図である。
【図１９】  外部から入力された画像を投写スクリーン１０４上に表示した一例を示す説明図である。
【図２０】  抽出画像メモリ２２４に格納されている抽出画像データＣＰＤ１と背景画像データＢＧＤ１とを含む特定画像データＳＰＤ１の表す特定画像を投写スクリーン１０４上に表示した一例を示す説明図である。
【図２１】  ３種類の抽出画像データＣＰＤ１（Ａ），ＣＰＤ１（Ｂ），ＣＰＤ１（Ｃ）の表す抽出画像を順に選択して投写スクリーン１０４に表示した一例を示す説明図である。
【図２２】  投写型表示装置に入力される画像からユーザロゴ画像を切り取る手順について示す説明図である。
【図２３】  投写型表示装置に入力される画像からユーザロゴ画像を切り取る手順について示す説明図である。
【図２４】  投写型表示装置に入力される画像からユーザロゴ画像を切り取る手順について示す説明図である。
【図２５】  投写型表示装置に入力される画像からユーザロゴ画像を切り取る手順について示す説明図である。
【図２６】  投写型表示装置に入力される画像からユーザロゴ画像を切り取る手順について示す説明図である。
【図２７】  投写型表示装置に入力される画像からユーザロゴ画像を切り取る手順について示す説明図である。
【図２８】  本発明の第２および第３の態様による実施例としての投写型表示装置の全体構成を示すブロック図である。
【図２９】  動作条件判定部２２６の構成を示す概略ブロック図である。
【図３０】  動作条件判定部２２６の動作を示すタイムチャートである。
【図１】
0003840898.tif 000002
【図２】
0003840898.tif 000003
【図３】
0003840898.tif 000004
【図４】
0003840898.tif 000005
【図５】
0003840898.tif 000006
【図６】
0003840898.tif 000007
【図７】
0003840898.tif 000008
【図８】
0003840898.tif 000009
【図９】
0003840898.tif 000010
【図１０】
0003840898.tif 000011
【図１１】
0003840898.tif 000012
【図１２】
0003840898.tif 000013
【図１３】
0003840898.tif 000014
【図１４】
0003840898.tif 000015
【図１５】
0003840898.tif 000016
【図１６】
0003840898.tif 000017
【図１７】
0003840898.tif 000018
【図１８】
0003840898.tif 000019
【図１９】
0003840898.tif 000020
【図２０】
0003840898.tif 000021
【図２１】
0003840898.tif 000022
【図２２】
0003840898.tif 000023
【図２３】
0003840898.tif 000024
【図２４】
0003840898.tif 000025
【図２５】
0003840898.tif 000026
【図２６】
0003840898.tif 000027
【図２７】
0003840898.tif 000028
【図２８】
0003840898.tif 000029
【図２９】
0003840898.tif 000030
【図３０】
0003840898.tif 000031